(57)【特許請求の範囲】
【請求項１】
（ａ）  上縁部（１１）を吊桿（１２）に固定して吊り降ろし、下縁部（１５）を当該吊桿（１２）から吊り降ろした昇降コード（１３）の下端に連結し、当該上縁部（１１）から当該下縁部（１５）に至る部分に当該昇降コードの貫通する昇降ガイド（１８）を当該昇降コード（１３）の長さ方向に沿って取り付け、当該昇降コード（１３）によって下縁部（１５）をたくし上げて開閉するローマンシエード型カーテンの生地（１６）において、
（ｂ）  当該生地（１６）が、ローマンシエード型カーテンの高さ方向の少なくとも一箇所において、上段生地（３１）と中段生地（３２）と下段生地（３３）との上下３区画に区分されており、
（ｃ）  ローマンシエード型カーテンの高さ方向に配置された連結部材（１９）が上段生地（３１）と下段生地（３３）に接合されており、その連結部材（１９）を介して上段生地（３１）と下段生地（３３）が連結され、上段生地（３１）と連結部材（１９）との接合箇所（２２）から下段生地（３３）と連結部材（１９）との接合箇所（２２）に至る距離が連結部材（１９）によって一定に保たれており、
（ｄ）  上段生地（３１）と連結部材（１９）との接合箇所（２２）から下段生地（３３）と連結部材（１９）との接合箇所（２２）に至る部分を中段生地（３２）が占めており、
（ｅ）  前記中段生地（３２）に、前記吊桿（１２）から吊り降ろされる補助コード（１７）を挿通する補助ガイド（１４）が取り付けられており、
（ｆ）  当該補助ガイド（１４）に挿通した補助コード（１７）が、当該補助ガイド（１４）の下側において、中段生地（３２）に接合されており、
（ｇ）  ローマンシエード型カーテンの高さ方向における中段生地（３２）の寸法が、上段生地（３１）と連結部材（１９）との接合箇所（２２）から下段生地（３３）と連結部材（１９）との接合箇所（２２）に至る連結部材（１９）の寸法に比して長く、
（ｈ）  前記中段生地（３２）が、連結部材（１９）に相対して浮き上がった隆起（２０・２１）を形成しているローマンシエード型カーテン。
【請求項２】
（ｉ）  前記中段生地（３２）に、裏側の透視が容易な通気眺望部と裏側の透視が困難な遮蔽部が設けられており、それらの通気眺望部と遮蔽部がローマンシエード型カーテンの高さ方向において上下に区分されている前掲請求項１に記載のローマンシエード型カーテン。
【請求項３】
（ａ）  上縁部（１１）を吊桿（１２）に固定して吊り降ろし、下縁部（１５）を当該吊桿（１２）から吊り降ろした昇降コード（１３）の下端に連結し、当該上縁部（１１）から当該下縁部（１５）に至る部分に当該昇降コードの貫通する昇降ガイド（１８）を当該昇降コード（１３）の長さ方向に沿って取り付け、当該昇降コード（１３）によって下縁部（１５）をたくし上げて開閉するローマンシエード型カーテンの生地（１６）において、
（ｂ）  当該生地（１６）が、ローマンシエード型カーテンの高さ方向の少なくとも一箇所において、上段生地（３１）と中段生地（３２）と下段生地（３３）との上下３区画に区分されており、
（ｃ）  ローマンシエード型カーテンの高さ方向に配置された連結部材（１９）が上段生地（３１）と下段生地（３３）に接合されており、その連結部材（１９）を介して上段生地（３１）と下段生地（３３）が連結され、上段生地（３１）と連結部材（１９）との接合箇所（２２）から下段生地（３３）と連結部材（１９）との接合箇所（２２）に至る距離が連結部材（１９）によって一定に保たれており、
（ｄ）  上段生地（３１）と連結部材（１９）との接合箇所（２２）から下段生地（３３）と連結部材（１９）との接合箇所（２２）に至る部分を中段生地（３２）が占めており、
（ｅ’）  前記上段生地（３１）に、前記吊桿（１２）から吊り降ろされる補助コード（１７）を挿通する補助ガイド（１４）が取り付けられており、
（ｆ）  当該補助ガイド（１４）に挿通した補助コード（１７）が、当該補助ガイド（１４）の下側において、前記中段生地（３２）に接合されており、
（ｊ）  その中段生地（３２）が、その補助コード（１７）との接合箇所（２６）と当該接合箇所（２６）の上側に取り付けられている補助ガイド（１４）の取付箇所（２５）の間において上段生地（３１）と、又は、その補助コード（１７）との接合箇所（２６）と当該接合箇所（２６）の下側の下段生地（３３）と連結部材（１９）の接合箇所（２２）との間において下段生地（３３）と、切り離されているローマンシエード型カーテン。
【請求項４】
（ａ）  上縁部（１１）を吊桿（１２）に固定して吊り降ろし、下縁部（１５）を当該吊桿（１２）から吊り降ろした昇降コード（１３）の下端に連結し、当該上縁部（１１）から当該下縁部（１５）に至る部分に当該昇降コードの貫通する昇降ガイド（１８）を当該昇降コード（１３）の長さ方向に沿って取り付け、当該昇降コード（１３）によって下縁部（１５）をたくし上げて開閉するローマンシエード型カーテンの生地（１６）において、
（ｋ）  当該生地（１６）が、ローマンシエード型カーテンの高さ方向において所要の間隔（Ｌ）をもって、複数の大区画に区分されており、
（ｌ）  更に、当該大区画が、ローマンシエード型カーテンの高さ方向において所要の間隔（Ｓ）をもって最上段小区画（Ａ）と第２段小区画（Ｂ）と第３段小区画（Ｃ）と第４段小区画（Ｄ）と最下段小区画（Ｅ）の上下五つの横帯状小区画（Ａ・Ｂ・Ｃ・Ｄ・Ｅ）に区分されており、
（ｍ）  ローマンシエード型カーテンの高さ方向に配置された連結部材（１９）が、それらの上下する２つの大区画の最上段小区画（Ａ）と最上段小区画（Ａ）、又は、最下段小区画（Ｅ）と最下段小区画（Ｅ）に接合されており、その連結部材（１９）を介して上下する２つの大区画が連結され、それらの上下する２つの最上段小区画（ＡとＡ）、又は、２つの最下段小区画（ＥとＥ）の連結部材（１９）との接合箇所（２２）から接合箇所（２２）に至る距離が連結部材（１９）によって一定に保たれており、
（ｎ）  前記吊桿（１２）から吊り降ろされる補助コード（１７）を挿通する補助ガイド（１４）が、最上段小区画（Ａ）又は最下段小区画（Ｅ）の連結部材（１９）との接合箇所（２２）の下側に取り付けられており、
（ｏ）  当該補助ガイド（１４）に挿通した補助コード（１７）が、当該補助ガイド（１４）の下側において、上下する２つの小区画（Ｂ・Ｃ又はＣ・Ｄ）の境界部（１０）に接合されており、
（ｐ）  上下する２つの大区画の間隔（Ｌ）が、上下する２つの大区画の最上段小区画（Ａ）又は最下段小区画（Ｅ）と連結部材（１９）との接合箇所（２２）から接合箇所（２２）に至る連結部材（１９）の寸法に比して長く、
（ｑ）  生地（１６）が、大区画において、連結部材（１９）に相対して浮き上がった隆起（２０・２１）を形成しているローマンシエード型カーテン。
【請求項５】
（ｒ）  生地（１６）の連結部材（１９）との接合箇所（２２）から接合箇所（２２）に至る部分に、外観を異にする２つの文字、図形、記号、絵画、模様、図柄等の形象が、ローマンシエード型カーテンの高さ方向において上下に区分して描出されている前掲請求項１、請求項２、請求項３および請求項４の何れかに記載のローマンシエード型カーテン。
【発明の詳細な説明】
【０００１】
【発明の属する技術分野】
本発明は、生地が、その上縁部を吊桿に固定して吊り降ろされており、その吊桿から吊り降ろされた昇降コードの下端に下縁部が連結されており、その昇降コードの貫通するガイドが吊り降ろされた昇降コードの長さ方向に沿って一定の間隔をもって生地が取り付けられており、その昇降コードによって生地の下縁部をたくし上げて開閉するローマンシエード型カーテンに関するものである。
【０００２】
【従来の技術】
特開平９−１６５９８１と特開平１０−２２０１３８と特開平９−２２１９６９には、丈の短い複数枚の短尺生地を上下多段に吊り下げて眺望機能と遮蔽機能を併せ持つように工夫されたローマンシエード型カーテンが開示されている。
【０００３】
【発明が解決しようとする課題】
特開平９−１６５９８１に係るローマンシエード型カーテンでは、短尺生地をたくし上げるとき、その上下の短尺生地と短尺生地の間に隙間が出来るので、戸外を眺望することがが可能になる。しかし、その隙間から室内も覗き込まれることになり、それではカーテン全体をたくし上げて開いたも同然となる。
【０００４】
特開平１０−２２０１３８と特開平９−２２１９６９では、この点を改善し、上下多段に吊り下げられた短尺生地の裏側に隠蔽用生地を重ねて吊り下げることにしている。しかし、その場合は、短尺生地と隠蔽用生地が一体になってたくし上げられるように、上下多段に並んだ複数枚の各短尺生地を隠蔽用生地にコードによって接合しなければならず、コードの数が徒に増え、その接続機構も素人がコードを取り付けるには余りにも複雑で素人には取り付けが不可能に近く、洗濯時には複数の短尺生地が絡み合って洗濯が困難になり、又、洗濯によって短尺生地と隠蔽用生地の間に伸縮差が生じたときは大きいダブツキが生じて全体の体裁が損なわれるので、コード類の取付や洗濯は専門業者に頼らざるを得ず、一般家庭では手軽に取り扱うことは出来ない。
【０００５】
【発明の目的】
そこで本発明は、上下に連続した生地によって、眺望性と遮蔽性、或いは、通風性と断熱性と言う異なる機能性を併せ持つと共に、全体の色調が変化してデザイン的にも趣味感に富み、洗濯も容易で一般家庭でも手軽に取り扱えるローマンシエード型カーテンを提供しようとするものである。
【０００６】
【課題を解決するための手段】
本発明に係るローマンシエード型カーテンは、（１）  吊り下げられたカーテン生地の下縁部に接合した連結部材によって、その下縁部が吊り上げられており、その下縁部の連結部材との接合箇所とカーテン生地の上縁部の間にＵ字形に垂れ下がるダブツキ（弛み）を形成し、（２）  下縁部と連結部材との接合箇所と上縁部の間のカーテン生地の中間部分に上下昇降操作手段を接合し、（３）  その上下昇降操作手段の上下昇降操作によって、その上下昇降操作手段とカーテン生地の中間部分との接合箇所を境目として、その境目の上側と下側との間でＵ字形に垂れ下がったダブツキが入れ代わりに現れることを第１の特徴とする。
【０００７】
本発明に係るローマンシエード型カーテンは、（ａ）  上縁部１１を吊桿１２に固定して吊り降ろし、下縁部１５を吊桿１２から吊り降ろした昇降コード１３の下端に連結し、上縁部１１から下縁部１５に至る部分に昇降コードの貫通する昇降ガイド１８を昇降コード１３の長さ方向に沿って取り付け、昇降コード１３によって下縁部１５をたくし上げて開閉するローマンシエード型カーテンの生地１６において、（ｂ）  生地１６が、ローマンシエード型カーテンの高さ方向の少なくとも一箇所において、上段生地３１と中段生地３２と下段生地３３との上下３区画に区分されており、（ｃ）  ローマンシエード型カーテンの高さ方向に配置された連結部材１９が上段生地３１と下段生地３３に接合されており、その連結部材１９を介して上段生地３１と下段生地３３が連結され、上段生地３１と連結部材１９との接合箇所２２から下段生地３３と連結部材１９との接合箇所２２に至る距離が連結部材１９によって一定に保たれており、（ｄ）  上段生地３１と連結部材１９との接合箇所２２から下段生地３３と連結部材１９との接合箇所２２に至る部分を中段生地３２が占めており、（ｅ）  中段生地３２に、吊桿１２から吊り降ろされる補助コード１７を挿通する補助ガイド１４が取り付けられており、（ｆ）  補助ガイド１４に挿通した補助コード１７が、補助ガイド１４の下側において中段生地３２に接合されており、（ｇ）  ローマンシエード型カーテンの高さ方向における中段生地３２の寸法が、上段生地３１と連結部材１９との接合箇所２２から下段生地３３と連結部材１９との接合箇所２２に至る連結部材１９の寸法に比して長く、（ｈ）  前記中段生地３２が連結部材１９に相対して浮き上がった隆起２０・２１を形成していることを第２の特徴とする。
【０００８】
本発明に係るローマンシエード型カーテンの第３の特徴は、上記第２の特徴に加えて、（ｉ）  前記中段生地３２に、裏側の透視が容易な通気眺望部と裏側の透視が困難な遮蔽部が設けられており、それらの通気眺望部と遮蔽部がローマンシエード型カーテンの高さ方向において上下に区分されている点にある。
【０００９】
本発明に係るローマンシエード型カーテンの第４の特徴は、上記第２および第３の何れかの特徴に加えて、（ｅ’）  前記上段生地３１に、前記吊桿１２から吊り降ろされる補助コード１７を挿通する補助ガイド１４が取り付けられており、（ｆ）  当該補助ガイド１４に挿通した補助コード１７が、当該補助ガイド１４の下側において、前記中段生地３２に接合されており、（ｊ）  その中段生地３２が、その補助コード１７との接合箇所２６と当該接合箇所２６の上側に取り付けられている補助ガイド１４の取付箇所２５の間において上段生地３１と、又は、その補助コード１７との接合箇所２６と当該接合箇所２６の下側の下段生地３３と連結部材１９の接合箇所２２との間において下段生地３３と、切り離されている点にある。
【００１０】
本発明に係るローマンシエード型カーテンの第５の特徴は、上記第２、第３および第４の何れかの特徴に加えて、（ｋ）  生地１６が、ローマンシエード型カーテンの高さ方向において所要の間隔（Ｌ）をもって、複数の大区画に区分されており、（ｌ）  更に、当該大区画が、ローマンシエード型カーテンの高さ方向において所要の間隔（Ｓ）をもって最上段小区画Ａと第２段小区画Ｂと第３段小区画Ｃと第４段小区画Ｄと最下段小区画Ｅの上下五つの横帯状小区画（Ａ・Ｂ・Ｃ・Ｄ・Ｅ）に区分されており、（ｍ）  ローマンシエード型カーテンの高さ方向に配置された連結部材１９が、それらの上下する２つの大区画の最上段小区画Ａと最上段小区画Ａ、又は、最下段小区画Ｅと最下段小区画Ｅに接合されており、その連結部材１９を介して上下する２つの大区画が連結され、それらの上下する２つの最上段小区画ＡとＡ、又は、２つの最下段小区画ＥとＥの連結部材１９との接合箇所２２から接合箇所２２に至る距離が連結部材１９によって一定に保たれており、（ｎ）  吊桿１２から吊り降ろされる補助コード１７を挿通する補助ガイド１４が、最上段小区画Ａ又は最下段小区画Ｅの連結部材１９との接合箇所２２の下側に取り付けられており、（ｏ）  補助ガイド１４に挿通した補助コード１７が、補助ガイド１４の下側において、上下する２つの小区画Ｂ・Ｃ又はＣ・Ｄの境界部１０に接合されており、（ｐ）  上下する２つの大区画の間隔（Ｌ）が、上下する２つの大区画の最上段小区画Ａ又は最下段小区画Ｅと連結部材１９との接合箇所２２から接合箇所２２に至る連結部材１９の寸法に比して長く、（ｑ）  生地１６が、大区画において、連結部材１９に相対して浮き上がった隆起２０・２１を形成している点にある。
【００１１】
本発明に係るローマンシエード型カーテンの第６の特徴は、上記第２、第３、第４および第５の何れかの特徴に加えて、（ｒ）  生地１６の連結部材１９との接合箇所２２から接合箇所２２に至る部分に、外観を異にする２つの文字、図形、記号、絵画、模様、図柄等の形象が、ローマンシエード型カーテンの高さ方向において上下に区分して描出されている点にある。
【００１２】
【発明の実施の形態】
生地１６をカーテンの高さ方向の複数箇所で上段生地３１と中段生地３２と下段生地３３に区分する場合、上下する２つの中段生地３２・３２の間の部分は、その上側の中段生地３２に対しては下段生地３３となるが、その下側の中段生地３２に対しては上段生地３１となる。即ち、生地１６は、上段生地３１と中段生地３２、又は、中段生地３２と下段生地３３が一定の間隔Ｌをもって複数区画に区分されることになる。
【００１３】
【実施例１】
図１〜図３は、生地１６が複数区画に区分され、上段生地３１と中段生地３２、又は、中段生地３２と下段生地３３が一定の間隔Ｌをもって繰り返し連続するローマンシエード型カーテンの細部を具体的に図示するものである。生地１６は、上縁部１１を吊桿１２に固定して吊り降ろされ、その吊桿１２から吊り降ろされた昇降コード１３の下端に下縁部１５が連結されており、その昇降コードの貫通する昇降ガイド１８が吊り降ろされた昇降コード１３の長さ方向に沿って一定の間隔をもって取り付けられており、その昇降コード１３によって下縁部１５がたくし上げられて開閉されるようになっている。生地１６は、ローマンシエード型カーテンの高さ方向において一定の間隔（Ｌ）をもって、複数の大区画に等分されており、更に、その各大区画が、ローマンシエード型カーテンの高さ方向において一定の間隔（Ｓ）をもってＡ・Ｂ・Ｃ・Ｄ・Ｅの五つの横帯状小区画に等分されている。吊桿１２からは補助コード１７が吊り降ろされている。その補助コード１７が貫通する補助ガイド１４が、各大区画の特定の２つの小区画（Ｅ・Ａ）の境界部１０ｅａに取り付けられている。補助ガイド１４を貫通した補助コード１７は、その補助ガイド１４が取り付けられている境界部１０ｅａから小区画の間隔（Ｓ）の２倍の距離（２Ｓ）だけ下がった箇所ｂｃに位置する２つの小区画Ｂ・Ｃの境界部１０ｂｃに接合されている。大区画間の補助コード１７の接合されている境界部１０ｂｃから境界部１０ｂｃに至る補助コードの区間寸法（Ｍ）が、小区画の間隔（Ｓ）の３倍に設定されている（Ｍ＝３Ｓ）。補助コード１７が接合されている境界部１０ｂｃから小区画の間隔（Ｓ）の２倍（２Ｓ）下がった箇所ｄｅに位置する２つの小区画Ｄ・Ｅの境界部１０ｄｅが、生地１６の上縁部１１から続く連結部材１９に接合されており、（ｉ）  大区画の間の連結部材１９の接合されている境界部１０ｄｅから境界部１０ｄｅに至る連結部材１９の区間寸法（Ｎ）が、小区画の間隔（Ｓ）の３倍（Ｎ＝３Ｓ）に設定されている。
【００１４】
図１と図２に図示する如く、補助コード１７を操作すると各大区画の中の２つの小区画（ＡとＢ）と他の２つの小区画（ＣとＤ）のダブツキによる横畝状の隆起２０・２１が表側に入れ替わりに現れ、そのとき隆起２０・２１の裏側から２つの小区画（Ｂ・Ｃ）と他の２つの小区画（Ｄ・Ｅ）が表側に入れ替わりに現れ、その入れ替わる合計４つの小区画（Ｂ・Ｃ・Ｄ・Ｅ）の生地の眺望性、遮蔽性、通風性、断熱性等の機能性の相異、或は、色調、模様等のデザイン性の相異によって、全体の機能性やデザインが変化する。
【００１５】
図３は、その補助コード１７の操作によって全体の機能性やデザインが変化する機構を図解説明するものである。図３の分図（１）は、昇降コード１３と補助コード１７と連結部材１９を取り付ける前の拡布された生地１６を示し、生地１６は高さ方向において一定の間隔（Ｌ）で複数の大区画に等分されており、更に、各大区画が、ローマンシエード型カーテンの高さ方向において一定の間隔（Ｓ）をもってＡ・Ｂ・Ｃ・Ｄ・Ｅの五つの横帯状小区画に等分されている。その小区画Ａと小区画Ｂは、目粗な通気眺望部になっており、他の小区画Ｃと小区画Ｄと小区画Ｅは、緻密な遮蔽部になっている。各大区画には、昇降ガイド１８の取付位置と補助ガイド１４の取付位置が、２つの小区画Ｅ・Ａの境界部１０ｅａにマーキングされている。又、各大区画には、補助コード１７の接合位置ｂｃが、その境界部１０ｅａから小区画の間隔（Ｓ）の２倍の距離（２Ｓ）だけ下がった２つの小区画Ｂ・Ｃの境界部１０ｂｃにマーキングされている。連結部材１９の接合位置ｄｅは、その境界部１０ｂｃから小区画の間隔（Ｓ）の２倍（２Ｓ）下がった箇所ｄｅに位置する２つの小区画Ｄ・Ｅの境界部１０ｄｅにマーキングされている。
【００１６】
図３の分図（２）と（３）と（４）は、それらのマーキングに従って、昇降ガイド１８と補助ガイド１４と昇降コード１３と補助コード１７と連結部材１９を取り付けて仕上げたローマンシエード型カーテンを図示し、昇降コード１３は、吊桿１２から吊り降ろされて昇降ガイド１８を貫通しており、その下端は、生地１６の下縁部１５に連結されている。補助コード１７は、補助ガイド１４を潜り抜け、各大区画の２つの小区画Ｂ・Ｃの境界部１０ｂｃに接合されている。連結部材１９は、生地１６の上縁部１１から垂れ下げられており、各大区画の２つの小区画Ｄ・Ｅの境界部１０ｄｅに接合されており、その上下に続く接合箇所ｄｅと接合箇所ｄｅの間は、生地１６から浮き上がっている。
【００１７】
上下に続く接合箇所ｂｃから接合箇所ｂｃまでの補助コードの区間寸法（Ｍ）、及び、上下に続く接合箇所ｄｅから接合箇所ｄｅまでの連結部材１９の区間寸法（Ｎ）は、それぞれ小区画の間隔（Ｓ）の３倍に設定されている（Ｍ＝Ｎ＝３Ｓ）。このため大区画と大区画の間には、大区画の丈（Ｌ＝５Ｓ）と連結部材１９の長さ（３Ｓ）の差である２つの小区画の丈（２Ｓ）に相当するダブツキ（２０・２１）が生じ、そのダブツキ（２０・２１）は、補助コード１７を操作して補助コード１７と生地１６の接合箇所ｂｃが上昇し、そこが上側の補助ガイド１４に突き当たって止まると、その接合箇所ｂｃと補助ガイド１４の間に挟まれる２つの小区画Ａ・Ｂは垂れ下がった隆起２０となって生地の表側に現われ（図３の分図２）、ローマンシエード型カーテンの表側は、その垂れ下がった隆起２０の表側の小区画Ａと、上下に続く隆起２０と隆起２０の間の２つの小区画Ｄ・Ｅによって彩られる（図２）。他方、その接合箇所ｂｃが降下して下側の補助ガイド１４に突き当たって止まると、その接合箇所ｂ・ｃと補助ガイド１４の間に挟まれる２つの小区画Ｃ・Ｄが垂れ下がった隆起２１となって生地の表側に現われ（図３の分図３）、ローマンシエード型カーテンの表側は、その垂れ下がった隆起２１の表側の小区画Ｃと、上下に続く隆起２１と隆起２１の間の２つの小区画Ａ・Ｂによって彩られることになる（図１）。
【００１８】
このようにして、補助コード１７の昇降操作によって、ローマンシエード型カーテンの表側には３つの小区画Ａ・Ｄ・Ｅと３つの小区画Ａ・Ｂ・Ｃが入れ替わりに現われる。このため、そのとき入れ替わる２つの小区画Ｄ・Ｅと２つの小区画Ｂ・Ｃの色彩や文字、図形、記号、絵画、模様、図柄等の形象を変えておくと、ローマンシエード型カーテンの全体の色調やデザインが変化し、小区画Ａと小区画Ｂを目粗な通気眺望部とし、他の小区画Ｃと小区画Ｄと小区画Ｅを緻密な遮蔽部にすると、目粗な小区画Ａ・Ｂが現われるときは眺望性や通気性が生じ、緻密な小区画Ｄ・Ｅが現われるときは遮光性や断熱性や隠蔽性が生じる。補助コード１７の操作によって、小区画Ａ・Ｂと小区画Ｃ・Ｄの何れにダブツキが生じるとしても、ローマンシエード型カーテン全体の丈（高さ寸法）は、連結部材１９によって一定に保たれる。昇降コード１３を操作すると、通常のローマンシエードカーテンと同様に、生地１６の下縁部１５からたくし上げて開閉される。形象は、垂れ下がる隆起２０・２１の裏側に覆い隠される程度の大きさのものであれば、文字や模様などの平面的なものに限らず、宝石装飾片、折紙細工、玩具、彫刻、造花等の立体的なものであってもよい。
【００１９】
小区画Ａ・Ｂ・Ｃ・Ｄ・Ｅには、編物、織物、不織布、プラスチックシート等、それぞれ種類の異なる生地を使用し、それらを境界部１０で縫合して１枚の連続した生地１６とすることも出来る。図３が示すように、昇降ガイド１８と補助ガイド１４は、同じ境界部１０ｅａに設けることが出来るので、その何れか一方を昇降ガイド１８と補助ガイド１４に兼用し、他の昇降ガイド１８（１４）を省くことも出来る。小区画Ａ・Ｂ・Ｃ・Ｄ・Ｅの間の境界部１０には、補助コード１７や連結部材１９が接合され、又、昇降ガイド１８や補助ガイド１４その他の治具が取り付けられ、それらの取付や接合のためのスペースを設けることが必要とされる場合もあるので、各小区画Ａ・Ｂ・Ｃ・Ｄ・Ｅの間の間隔（Ｓ）を厳密に一定にする必要はなく、従って、大区画を五つの横帯状小区画に厳密に等分する必要もなく、各小区画Ａ・Ｂ・Ｃ・Ｄ・Ｅの間の間隔（Ｓ）には多少のバラツキが許される。
【００２０】
小区画と小区画の境界部１０にはテンションバーを取り付け、そのテンションバーを中心軸とする折り目を境界部１０に付け、生地全体１６が蛇腹状に折り畳まれて開閉されるようにすることも出来る。小区画と小区画の境界部１０にテンションバーを取り付ける場合、ダブツキによる隆起２０・２１は横襞となって現れることになる。テンションバーを取り付けることなく、極めて可撓性に富む薄手の生地を使用する場合、ダブツキによる隆起２０・２１は、生地の全幅にわたる横襞としてではなく、補助ガイド１４と連結部材１９が取り付けられている箇所の凹凸となって部分的に現れることになる。生地１６の上縁部１１と下縁部１５は、大区画に含まれないスペースとし、上縁部１１には吊桿１２に接合する治具や金具を、又、下縁部１５には昇降コード１３を係止する治具やウェイトバーを取り付けることも出来る。昇降ガイド１８と補助ガイド１４は、昇降コード１３や補助コード１７が挿通可能な輪奈の形成されたものであれば、小区画Ａ・Ｂ・Ｃ・Ｄ・Ｅの生地の一部としてループパイル状に突き出た輪奈であっもよく、境界部１０に取り付け可能なリング状を成すものである必要はない。
【００２１】
【実施例２】
図４〜図７は、図１〜図３に示すローマンシエード型カーテンの特定の大区画を中段生地３２とし、その上側の大区画を上段生地３１とし、その下側の大区画を下段生地３３とし、その中段生地３２に裏側を容易に透視することが出来る透視性生地を適用し、上段生地３１と下段生地３３には裏側を容易には透視することが出来ない遮蔽性生地を適用したローマンシエード型カーテンの要部を横向きにして示す斜視図であり、ローマンシエード型カーテンは、昇降コードを緩め、生地の下縁部を最降下位置に達するまで降ろして閉めた状態になっている。図４と図５に示すローマンシエード型カーテンでは、補助ガイド１４が中段生地３２に取り付けられており、吊桿から吊り降ろされた補助コード１７が補助ガイド１４に通され、その補助コード１７は補助ガイド１４の下側において、中段生地３２に接合されている。補助ガイド１４と中段生地３２の取付箇所２５と、補助コード１７と中段生地３２の接合箇所２６は、同じ鉛直線上に並ぶように配置されており、補助コード１７は補助ガイド１４を垂直に貫通している。
【００２２】
ローマンシエード型カーテンの高さ方向において、上段生地３１と連結部材１９との接合箇所２２から下段生地３３と連結部材１９との接合箇所２２までの中段生地３２の拡布された寸法Ｌと、上段生地３１と連結部材１９との接合箇所２２から補助ガイド１４の取付箇所２５までの中段生地３２の拡布された寸法Ｐと、補助ガイド１４の取付箇所２５から下段生地３３と連結部材１９との接合箇所２２までの中段生地３２の拡布された寸法Ｑの比率は、５：１：４〔（Ｌ＝５）対（Ｐ＝１）対（Ｑ＝４）〕になっている。その拡布された状態において、補助ガイド１４の取付箇所２５から補助コード１７の接合箇所２６までの中段生地３２の寸法Ｒと、補助コード１７の接合箇所２６から下段生地３３と連結部材１９との接合箇所２２までの中段生地３２の寸法Ｓの比率は、１：１〔（Ｒ＝１）対（Ｓ＝１）〕になっている。又、ローマンシエード型カーテンの高さ方向において、拡布された状態の中段生地３２の寸法Ｌ（＝５）と、上段生地３１と連結部材１９との接合箇所２２から下段生地３３と連結部材１９との接合箇所２２に至る連結部材１９の寸法Ｎ（＝３）の比率は、５：３〔（Ｌ＝５）対（Ｎ＝３）〕になっている。このため、それらの寸法差に応じたダブツキが中段生地３２に生じ、下段生地３３は連結部材１９を介して上段生地３１から吊り降ろされた恰好になる。その中段生地３２のダブツキは、補助コード１７の接合箇所２６で補助ガイド側（１４）と下段生地側（３３）に二分され、補助コード１７の接合箇所２６が下段生地側（３３）へ移動するときは補助コード１７の接合箇所２６の下側に横襞２１となって現れ（図４）、補助コード１７の接合箇所２６が上段生地側（３１）へ移動するときは、補助コード１７の接合箇所２６の上側に横襞２０となって現れる（図５）。尚、図４と図５において、符号（Ｑ）と符号（Ｌ）は、横襞２０・２１において折り重なっている部分を含む生地の寸法を表示している。
【００２３】
横襞２１が補助コード１７の接合箇所２６の下側に現れるとき、その横襞２１の下端から折れ曲がって続く裏側、即ち、中段生地の補助コードとの接合箇所２６と下段生地の連結部材との接合箇所２２の中間より下側部分Ｄと、連結部材との接合箇所２２から続く下段生地３３の上側部分Ｆは、横襞２１に覆い隠される（図４）。その結果、ローマンシエード型カーテンの表側には、横襞２１の表側となる中段生地３２の補助コードとの接合箇所２６と下段生地３３の連結部材との接合箇所２２の中間より上側部分Ｃ、上段生地３１の連結部材１９との接合箇所２２から補助コード１７との接合箇所２６まで続く中段生地３２の上側部分Ｅ・Ａ・Ｂが現れることになる。但し、図４に図示するように、中段生地３２と同様に上段生地３１にも補助コード１７が接合されている場合、中段生地３２の上段生地３１から補助ガイド１４の接合箇所２５まで続く上側部分Ｅは、上段生地３１の下側に現れる横襞２１Ｘに覆い隠される。
【００２４】
一方、横襞２０が補助コード１７の接合箇所２６の上側に現れるとき、その横襞２０の下端から折れ曲がって続く裏側、即ち、中段生地の補助コードとの接合箇所２６と上段生地の連結部材との接合箇所２２の中間より下側部分Ｂと、中段生地の補助コードの接合箇所２６と下段生地の連結部材との接合箇所２２の中間より上側部分Ｃは、横襞２０に覆い隠される。その結果、ローマンシエード型カーテンの表側には、横襞２０の表側となる中段生地３２の補助コード１７との接合箇所２６と上段生地３１の連結部材１９との接合箇所２２の中間より上側部分Ｅ・Ａと、下段生地の連結部材１９との接合箇所２２から補助コード１７の接合箇所２６まで続く中段生地３２の下側部分Ｄが現れることになる（図５）。
【００２５】
このため、図４と図５に示すローマンシエード型カーテンでは、入れ替わりに現れる上下の横襞２０・２１の中の何れか一方の横襞２０（２１）に隠され、且つ、何れか他方の横襞２１（２０）に隠されることなくローマンシエード型カーテンの表側に現れるように透視性生地を中段生地３２に適用するには、その透視性生地を、中段生地３２の補助コード１７の接合箇所２６と上段生地３１と連結部材１９の接合箇所２２の中間より下側部分Ｂと、下段生地３３と連結部材１９の接合箇所２２から補助コード１７の接合箇所２６まで続く中段生地３２の下側部分Ｄの何れか一方（Ｂ又はＤ）にだけ、即ち、中段生地３２の表面積の５分の１に該当する部分（Ｂ又はＤ）にだけ透視性生地を適用することになる。しかし、補助ガイド１４と補助コード１７の接合箇所の配置を変えるときは、透視性生地の適用可能な中段生地３２の部分の表面積を広げることが出来る。
【００２６】
【実施例３】
図６と図７は、その中段生地３２に透視性生地を広く適用したローマンシエード型カーテンを図示し、ローマンシエード型カーテンの高さ方向に拡布された状態において、上段生地３１と連結部材１９との接合箇所２２から下段生地３３と連結部材１９との接合箇所２２までの中段生地３２の寸法Ｌと、補助ガイド１４の取付箇所２５から補助コード１７の接合箇所２６までの中段生地３２の寸法Ｒと、補助コード１７の接合箇所２６から下段生地３３と連結部材１９との接合箇所２２までの中段生地３２の寸法Ｓの比率は、５：２：３〔（Ｌ＝５）対（Ｒ＝２）対（Ｑ＝３）〕になっている。ローマンシエード型カーテンの高さ方向において、拡布された状態に中段生地３２の寸法Ｌ（＝５）と、上段生地３１と連結部材１９との接合箇所２２から下段生地３３と連結部材１９との接合箇所２２に至る連結部材１９の寸法Ｎ（＝３）の比率は、５：３〔（Ｌ＝５）対（Ｎ＝３）〕になっており、図４と図５に図示するものと同様に、その寸法差に応じたダブツキが中段生地３２に生じる。そのダブツキは、補助コード１７の接合箇所２６で補助ガイド側（１４）と下段生地側（３３）に二分され、補助コード１７の接合箇所２６が下段生地側（３３）へ移動するときは補助コード１７の接合箇所２６の下側に横襞２１となって現れ（図６）、補助コード１７の接合箇所２６が上段生地側（３１）へ移動するときは、補助コード１７の接合箇所２６の上側に横襞２０となって現れる（図７）。尚、図６において、符号（Ｌ）と符号（Ｓ）は、横襞２１において折り重なっている部分を含む生地の寸法を表示している。
【００２７】
但し、図６と図７に図示するローマンシエード型カーテンでは、図４と図５に図示するものと異なり、補助ガイド１４が、中段生地３２の上段生地３１と連結部材１９の接合箇所２２と同じ位置に取り付けられており、その取付箇所２５と連結部材１９の接合箇所２２とのローマンシエード型カーテンの高さ方向における距離はゼロになっいる（図４と図５におけるＰ＝０）。このため、横襞２０が補助コード１７の接合箇所２６の上側に現れるとき、その横襞２０の下端から折れ曲がって続く裏側、即ち、上段生地３１と連結部材１９の接合箇所２２（補助ガイド１４の取付箇所２５）と補助コード１７の接合箇所２６の中間より下側部分Ａと、その接合箇所２６と下段生地３３と連結部材１９の接合箇所２２の中間部分Ｃより上側部分Ｂは、横襞２０に覆い隠される（図７）。その結果、ローマンシエード型カーテンの表側には、中段生地３２の上段生地３１と連結部材１９の接合箇所２２（補助ガイド１４の取付箇所２５）と補助コード１７の接合箇所２６の中間より上側部分Ｅと、中段生地３２の補助コード１７との接合箇所２６と下段生地３３と連結部材１９の接合箇所２２の中間部分Ｃと、その中間部分Ｃから下段生地３３と連結部材１９の接合箇所２２まで続く下側部分Ｄが現れることになる（図７）。
【００２８】
一方、横襞２１が補助コード１７の接合箇所２６の下側に現れるときは、その横襞２１の下端から折れ曲がって続く裏側、即ち、中段生地３２の補助コード１７の接合箇所２６と下段生地３３と連結部材１９の接合箇所２２の中間部分Ｃより下側部分Ｄと、連結部材１９の接合箇所２２から続く下段生地３３の上側部分Ｆは、横襞２１に覆い隠される（図６）。その結果、ローマンシエード型カーテンの表側には、上段生地３１と連結部材１９の接合箇所２２（補助ガイド１４の取付箇所２５）から補助コード１７の接合箇所２６と下段生地３３と連結部材１９の接合箇所２２の中間部分Ｃまでの中段生地３２の上側部分Ｅ・Ａ・Ｂ・Ｃが現れることになる。但し、図４と図５に図示するものと同様に、上段生地３１にも補助コード１７が中段生地３２と同様に接合されており、上段生地３１と連結部材１９の接合箇所２２（補助ガイド１４の取付箇所２５）と補助コード１７の接合箇所２６の中間より上側部分Ｅは、上段生地３１の下側に現れる横襞２１Ｘに覆い隠される（図６）。
【００２９】
従って、図６と図７に示すローマンシエード型カーテンでは、入れ替わりに現れる上下の横襞２０・２１の中の何れか一方の横襞２０（２１）に隠され、その何れか他方の横襞２１（２０）に隠されることなくローマンシエード型カーテンの表側に現れるように透視性生地を中段生地３２に適用するには、その透視性生地を、中段生地３２の上段生地３１と連結部材１９の接合箇所２２（補助ガイド１４の取付箇所２５）と補助コード１７の接合箇所２６の中間より下側部分Ａと、補助コード１７の接合箇所２６と下段生地３３と連結部材１９の接合箇所２２の中間部分Ｃより上側部分Ｂに、即ち、中段生地３２の表面積の５分の２に該当する部分（ＡとＢ）に続けて透視性生地を適用することが出来る。その結果、図６と図７に示すローマンシエード型カーテンでは、図４と図５に図示するものに比べ、透視性生地の適用可能な中段生地３２の部分の表面積が２倍に広がる。
【００３０】
【実施例４】
図６と図７において、生地の一部を中段生地３２とし、その上側の大区画を上段生地３１とし、その下側の大区画を下段生地３３とし、その入れ替わりに現れる上下の横襞２０・２１の中の何れか一方の横襞２０（２１）に隠され、何れか一方の横襞２０（２１）に隠されることなくローマンシエード型カーテンの表側に現れる中段生地３２の部分Ａ・Ｂを彩る色彩や文字、図形、記号等の形象と、その部分Ａ・Ｂに入れ替わって表側に現れる中段生地３２の部分Ｄとそれに続く下段生地３３の上側部分Ｆを彩る色彩や形象とを変えておくときは、特定の一部分において色彩や形象が見え隠れするローマンシエード型カーテンが得られることになる。図８と図９は、その特定の一部分において色彩や形象が見え隠れし、店頭などの道路沿いのガラス面に取り付けて使用され、開店と閉店等の業務内容を表示し、宣伝・広告の媒体にもなるローマンシエード型カーテンを図示するものである。
【００３１】
図１〜図３に図示する如く、生地１６が複数区画に区分され、上下する２つの中段生地３２・３２の間の部分が、その上側の中段生地３２に対しては下段生地３３となり、その下側の中段生地３２に対しては上段生地３１となり、上段生地３１と中段生地３２、又は、中段生地３２と下段生地３３が一定の間隔Ｌをもって繰り返し連続するローマンシエード型カーテンにおいて、入れ替わりに現れる上下の横襞２０・２１の中の何れか一方の横襞２０（２１）に隠され、何れか一方の横襞２０（２１）に隠されることなくローマンシエード型カーテンの表側に現れる中段生地３２の部分Ａ・Ｂと、それに入れ替わる中段生地３２の他の部分Ｅ・Ｃ・Ｄと上段生地３１乃至下段生地３３の色彩や文字、図形、記号等の形象を変えると、複数の全ての区画において中段生地３２の部分Ａ・Ｂが見え隠れし、ローマンシエード型カーテン全体の色調やデザインが大きく変化することになる。
【００３２】
この全体の色調やデザインの変化の仕方は、図４〜図５と図６〜図７を対比して明らかな如く、中段生地３２に配置される補助ガイドの取付箇所２５と補助コードの接合箇所２６の上段生地３１と下段生地３３からの距離（寸法）によって変わる。その場合、図３に図示する如く、中段生地３２を五つの小区画に等分し、その両端の境界を含む合計六つの境界部分に補助ガイド１４の取付箇所２５と補助コード１７の接合箇所２６を設定すると、ローマンシエード型カーテンがデザイン的に均整のとれたものとなる。
【００３３】
【実施例５】
図１０と図１１は、図６と図７に図示する中段生地３２の下側の横襞２１を形成することになる補助コード１７の接合箇所２６と下段生地３３と連結部材１９の接合箇所２２の中間部分Ｃと、そこから下段生地３３と連結部材１９の接合箇所２２に続く下側部分Ｄを通気眺望部とすべき場合において、それらの部分ＣとＤに透視性生地を適用せず、それらの部分ＣとＤを切除して開口２７を形成したローマンシエード型カーテンを図示する。この開口２７は、補助コード１７の接合箇所２６が上段生地側（３１）へ移動して補助コード１７の接合箇所２６の上側に横襞２０となって現れるとき、中段生地３２と下段生地３３の間に通気眺望部となって現れる（図１１）。その接合箇所２６が下段生地側（３３）へ移動するとき開口２７が閉じられる（図１０）。この開閉する開口２７は、図４〜図５に図示する中段生地３２の下側の横襞２１を形成することになる補助コード１７の接合箇所２６から下段生地３３と連結部材１９の接合箇所２２に至る下側部分Ｃ・Ｄを切除しても同様に形成することが出来る。テンションバーを取り付けることなく、極めて可撓性に富む薄手の生地を使用し、その中段生地３２を部分的に切除して開口２７を形成する場合、中段生地３２に生じるダブツキは凹凸２０・２１となって部分的に現れ、又、その凹凸２０・２１に対応して開口２７も部分的に現れ、その部分的に見え隠れする凹凸２０・２１や開口２７によって、ローマンシエード型カーテン全体が立体的で躍動感のある美観を呈するものとなる。
【００３４】
【実施例６】
図１〜図１１に図示するローマンシエード型カーテンでは、連結部材１９としてコード（紐）やテープ（帯）が使用されている。しかし、連結部材１９には、コード（紐）やテープ（帯）に限らず、生地１６（３１・３２・３３）と同様にプラスチックシートや布帛等を使用することが出来る（図１２）。連結部材１９と生地１６（３１・３２・３３）は、テンションバーを兼ねた治具２８を介して接合するとよい。そのように布帛等を連結部材１９に使用する場合、図１０と図１１に図示する如く、開閉する開口２７を中段生地３２を設けると、その開口２７から布帛等（連結部材１９）の色彩や文字、図形、記号等の形象が見え隠れすることになる。このため、その布帛等（連結部材１９）の色彩や形象と、開口２７の開閉に伴う明るさの変化と、生地１６に見え隠れする色彩や形象が複合して、ローマンシエード型カーテン全体の美観が一層複雑で躍動感に富むものとなる。
【００３５】
【発明の効果】
上記の通り、本発明によると、隆起や凹凸や横襞が入れ替わり現れ、その入れ替わり現れる度に色彩や文字、図形、記号、絵画、模様、図柄等の形象が部分的に見え隠れすると共に、眺望性や通気性、遮光性、断熱性、隠蔽性などの機能的品質も変化し、デザイン的にも躍動感に溢れ趣味感に富み、異なる機能を併せ持ち、カーテン全体を構成する上段生地３１と中段生地３２と下段生地３３が連続していて洗濯もし易く、その洗濯の際に昇降コード１３と補助コード１７と連結部材１９を生地１６から取り外しても、上段生地３１と中段生地３２と下段生地３３が分離せず、その後の取り付けが手軽に出来、機能的にもデザイン的にも新規なローマンシエード型カーテンが得られる。
【図面の簡単な説明】
【図１】本発明に係るローマンシエード型カーテンの斜視図である。
【図２】本発明に係るローマンシエード型カーテンの斜視図である。
【図３】本発明に係るローマンシエード型カーテンと生地の斜視図である。
【図４】本発明に係るローマンシエード型カーテンの要部斜視図である。
【図５】本発明に係るローマンシエード型カーテンの要部斜視図である。
【図６】本発明に係るローマンシエード型カーテンの要部斜視図である。
【図７】本発明に係るローマンシエード型カーテンの要部斜視図である。
【図８】本発明に係るローマンシエード型カーテンの要部斜視図である。
【図９】本発明に係るローマンシエード型カーテンの要部斜視図である。
【図１０】本発明に係るローマンシエード型カーテンの要部斜視図である。
【図１１】本発明に係るローマンシエード型カーテンの要部斜視図である。
【図１２】本発明に係るローマンシエード型カーテンの要部斜視図である。
【符号の説明】
１０・１０ｅａ・１０ｂｃ・１０ｄｅ  境界部
１１  上縁部
１２  吊桿
１３  昇降コード
１４  補助ガイド
１５  下縁部
１６  生地
１７  補助コード
１８  昇降ガイド
１９  連結部材
２０・２１  隆起（横襞）
２２・ｂｃ・ｄｅ  連結部材の接合箇所
２５  補助ガイドの取付箇所
２６  補助コードの接合箇所
２７  開口
２８  治具
３１  上段生地
３２  中段生地
３３  下段生地
Ａ・Ｂ・Ｃ・Ｄ・Ｅ  区画（部分）
【図１】
0003760317.tif 000002
【図２】
0003760317.tif 000003
【図３】
0003760317.tif 000004
【図４】
0003760317.tif 000005
【図５】
0003760317.tif 000006
【図６】
0003760317.tif 000007
【図７】
0003760317.tif 000008
【図８】
0003760317.tif 000009
【図９】
0003760317.tif 000010
【図１０】
0003760317.tif 000011
【図１１】
0003760317.tif 000012
【図１２】
0003760317.tif 000013